(57)【特許請求の範囲】
【請求項１】
腰部からアンダーバストの近傍部までを被覆するウエスト布と、腹部、臀部を被覆するパンティ布と、股部を被覆する股布と、大腿部を被覆する大腿布とにより構成されたハイウエストガードルであって、前記ウエスト布の上部開口周縁部に横方向に伸縮性の高い広幅の伸縮性ベルトを設け、その伸縮性ベルトより伸縮性が低く、横方向より縦方向に伸縮性が高いウエスト布の前身頃正面部にウエスト布の伸縮編地より伸縮性が低く、かつ厚い編地からなる略横長六角形状の当布を設けると共に、ウエスト布より伸縮性が低く、横方向より縦方向に伸縮性が大きいパンティ布の前身頃正面部にパンティ布より低い伸縮編地の腹部押え布を設け、その両側縁にパンティ布より伸縮性が高く、かつ薄いソフトな三角形状の編地を設けてなるハイウエストガードル。
【請求項２】
三角形状の編地は下方を底辺とする二等辺三角形状で、縦方向に伸びる横皺が入っている請求項１に記載のハイウエストガードル。
【発明の詳細な説明】
【０００１】
【発明の属する技術分野】
本発明は、アンダーバストの近傍からウエスト部、腹部、臀部および大腿部までを体型的に美しく整えるために着用するファンデーションの一種であるハイウエストガードルに関するものである。
【０００２】
【従来の技術】
従来から、体型を美しく見せるための補整下着としては、ブラジャー、ウエストニッパー、ガードルおよびボディスーツなどがあり、このような補整下着を着用することによりバストアップを図ったり、ウエストを細くしたり、腹部の突出を押えて臀部をアップさせたりして美しいボディラインを作っている。
【０００３】
ボディスーツは、バストからウエストおよびヒップを含めて胴部全体を一連に編成したもので、ボディ全体を締め付けてその体形を補整し、美しいボディラインを作るのであるが、このボディスーツは、バスト、ウエスト、ヒップの各部を標準サイズで作ってあるため、バストは合うがウエストやヒップが合わなかったり、ウエストやヒップは合うがバストは合わない等各部がピッタリとフィットすることが少なく、着用感が悪いばかりでなく、ボディラインのシルエットを美しく見せることができなかった。
【０００４】
そこで、ブラジャー、ウエストニッパー、ガードルの各部材を部分的に着用することが多用されている。そうすると自分の体形にあったブラジャー、ウエストニッパー、ガードルを選ぶことができるので、ピッタリとフィットしたものが得られて着心地よく、シルエを美しく見せることができる。
【０００５】
【発明が解決しようとする課題】
しかしながら、ウエストニッパーは、バストの下部からウエストまでのボディを包み込んでそこに着いた贅肉を引き締めて、ウエストの括れを細くして体型をスマートに整えるために用いられるが、比較的厚い生地のパワーネットで編成されており、そのパワーネットの縦方向に数本のボーンを取り付けてあり、そのボーンで締め付けているので、身体に圧迫痕がつき疼痛を生じて着心地が悪く、また、ホックやひもなどで係合するので装着に手間がかかると共に、その締め付けは胃部などを苦痛に感じるほど強く締め付けるので体調不良になる問題点があった。
【０００６】
ガードルは、ウエスト部位から下の下肢体、つまり腰部、腹部、臀部、大腿部などを体型的に美しく整えるために着用するものであり、突き出た下腹部を押えて引っ込ませると同時に、下がり気味の臀部を持ち上げて自然な丸みを持たせる機能を有しており、通常のガードルは腰部までの体型補整しかできなかった。
【０００７】
一部にウエスト部を被覆するハイウエストのものもあるが、これらはいずれもパンティ布を上方に長くしただけのものであり、ウエストを補整すると言う点については殆ど対応できていないばかりでなく、着用して上半身を動かすと上端部がズレ落ち却って身体のラインを悪くすると言う問題点があった。
【０００８】
本発明は、上記の問題を解決することを課題として研究開発されたもので、ウエストニッパーとガードルの機能を有し、アンダーバストの近傍から大腿部までのボディラインを美しく見せることができると共に、脚部と下腹部との境界部、すなわち、鼠径部を圧迫せず長時間着用しても着心地がよく、身体にピッタリとフィットしてズレ落ちることのないようにしたハイウエストガードルを提供することを目的とするものである。
【０００９】
【課題を解決するための手段】
上記の課題を解決しその目的を達成する手段として、本発明は、腰部からアンダーバストの近傍部までを被覆するウエスト布と、腹部、臀部を被覆するパンティ布と、股部を被覆する股布と、大腿部を被覆する大腿布とにより構成されたハイウエストガードルであって、前記ウエスト布の上部開口周縁部に横方向に伸縮性の高い広幅の伸縮性ベルトを設け、その伸縮性ベルトより伸縮性が低く、横方向より縦方向に伸縮性が高いウエスト布の前身頃正面部にウエスト布の伸縮編地より伸縮性が低く、かつ厚い編地からなる略横長六角形状の当布を設けると共に、ウエスト布より伸縮性が低く、横方向より縦方向に伸縮性が大きいパンティ布の前身頃正面部にパンティ布より低い伸縮編地の腹部押え布を設け、その両側縁にパンティ布より伸縮性が高く、かつ薄いソフトな三角形状の編地を設けてなるハイウエストガードルを開発し、採用した。
【００１０】
また、上記のように構成したハイウエストガードルにおいて、三角形状の編地は下方を底辺とする二等辺三角形状で、縦方向に伸びる横皺が入っているハイウエストガードルを開発し、採用した。
【００１１】
【発明の実施の形態】
以下に、本発明の実施の形態を添付図面に基づいて説明すれば、１はガードル本体であり、このガードル本体１は、左右を別々に分離した状態で丸編し、その後、内側辺部同志を縫着して接続することにより一つのガードルを構成するもので、所定の部分をそれぞれ伸長率を変えながら編成してある。
【００１２】
すなわち、ガードル本体１の上部開口周縁部に横方向に伸縮性の高い広幅の伸縮性ベルト２、その伸縮性ベルト２より伸縮性が低く、横方向より縦方向に伸縮性が高い、ウエストラインＷからアンダーバストＢの近傍までを覆うウエスト布３、ウエスト布３より伸縮性が低く、横方向より縦方向に伸縮性が大きい腹部と臀部を覆うパンティ布４、股部を覆う伸縮編地の股布５、パンティ布４より伸縮性が低く、縦方向より横方向に伸縮性の高い大腿部を覆う大腿布６とで構成されている。
【００１３】
ウエスト布３の前身頃正面部には、該ウエスト布３の伸縮編地より目の詰まった厚い編地で、かつ伸縮性が低い略横長の六角形当布７を編成してある。この六角形当布７はその上縁７ａが伸縮ベルト２の下端に接し、下縁７ｂがパンティ布４の上端と接しており、左右の各側辺７ｃ、７ｃ，７ｃ、７ｃは両側面に向って徐々に相寄るように幅が狭くなっている変形横長六角形状に形成されている。
【００１４】
パンティ布４の前身頃正面部には、図示の形状の腹部押え布８が編成されており、この腹部押え布８はパンティ布４の伸縮編地より低い伸縮性編地で編成されている。その腹部押え布８の両側縁に、パンティ布４の伸縮編地より伸縮性が高く、かつ薄くてソフトな下方を底辺とする二等辺三角形状の編地９が設けてあり、この編地９には縦方向に伸びる横皺９ａがはいっている。
【００１５】
また、パンティ布４の前身頃正面中央部のウエストラインＷより両側に向って斜め下方に延び、後身頃で臀部に沿って大腿部付け根部に至る臀部持ち上げ伸縮帯１０が設けられている。さらに、後身頃の中央部の左右には、パンティ布４の伸縮編地より伸縮性が高く、かつ薄くてソフトなヒップ当て布１１、１１が編成されている。
【００１６】
このように構成したハイウエストガードルの使用状態を作用効果と共に説明すると、上部開口部から足を通して上方に上げ、その上端の広幅伸縮性ベルト２の上縁がアンダーバストＢの近傍部に位置するように着用する。その時、上部開口部に広幅の伸縮性ベルト２が設けてあるので、大きく開口して着用しやすくなり、着用した場合にウエストにフィットして締め付け、ズレ落ちることがなく、かつ肌に食い込むことがない。
【００１７】
着用すると腰部からアンダーバストＢの近傍部までをウエスト布３がボディにピッタリとフィットする。そして、図６に示すように、両ウエスト布３、３の両側部３ａ、３ａがその伸縮性により内方（矢印Ａ方向）に収縮する一方、前身頃の略横長六角形状当布７の左右の各側辺７ｃ、７ｃ，７ｃ、７ｃ部が外方（矢印Ｂ方向）に伸長するので、ウエストを両側から締め付けることになり、ウエストに着いた贅肉を押え込みウエストの括れを細くすることができ、これまでのウエストニッパーによるきつい締め付けでなく無理なくできる。
【００１８】
また、ウエスト布３に設けた略横長六角形状当布７の左右の各側辺７ｃ、７ｃ，７ｃ、７ｃの部分が中央部より伸縮性が高く、伸長率が異なるため、ウエストの締め付け圧が一様でなく中央部と両側部とで異なると共に、縦方向においても、それぞれの伸長率が異なる伸縮性ベルト２、ウエスト布３、パンティ布４の順に配されているので、上半身を動かしたとしてもズレ落ちることがなくなる。
【００１９】
一方、パンティ部においても、パンティ布４の前身頃正面部の腹部押え布８の両側縁にパンティ布４の伸縮編地より伸縮性が高く、かつ薄いソフトな二等辺三角形状の編地９を設けてあるから、鼠径部を圧泊することなく、長い時間着席していても不快感を与えることがない。
【００２０】
さらに、パンティ布４より低い伸縮編地の腹部押え布８によって、飛び出た腹部を押えることができると共に、パンティ布４の前身頃正面中央部のウエストラインＷより側面に向って斜め下方に延び、後身頃の大腿部付け根部に至る臀部持ち上げ伸縮帯１０によって下がり気味の臀部をヒップアップできる。
【００２１】
また、後身頃の中央部の左右にパンティ布４の伸縮編地より伸縮性が高く、かつ薄い伸縮編地のヒップ当布１１、１１を設けてあるので、臀部の丸みを崩すことなく自然な膨らみを現出できるものである。
【００２２】
以上、本発明の主要な実施の形態の例について説明したが、本発明は上記の実施の形態に限定されるものではなく、発明の目的を達成でき、かつ発明の要旨を逸脱しない範囲内で種々の設計変更が可能であることは言うまでもない。
【００２３】
【発明の効果】
以上のように、本発明の請求項１の発明は、腰部からアンダーバストの近傍部までを被覆するウエスト布と、腹部、臀部を被覆するパンティ布と、股部を被覆する股布と、大腿部を被覆する大腿布とにより構成されたハイウエストガードルであって、前記ウエスト布の上部開口周縁部に横方向に伸縮性の高い広幅の伸縮性ベルトを設け、その伸縮性ベルトより伸縮性が低く、横方向より縦方向に伸縮性が高いウエスト布の前身頃正面部にウエスト布の伸縮編地より伸縮性が低く、かつ厚い編地からなる略横長六角形状の当布を設けると共に、ウエスト布より伸縮性が低く、横方向より縦方向に伸縮性が大きいパンティ布の前身頃正面部にパンティ布より低い伸縮編地の腹部押え布を設け、その両側縁にパンティ布より伸縮性が高く、かつ薄いソフトな三角形状の編地を設けてなるハイウエストガードルに係るものであるから、次のような優れた効果を奏する。
【００２４】
アンダーバストの近傍部から大腿部までを完全に被覆し、ウエストを締め付けると共に、下腹部も押えてウエストをシエイプアップできると同時にヒップアップでき、美しいボディラインを作ることができる。特に、ウエスト布の前身頃正面部に、ウエスト布より伸縮性が低く、かつ厚い編地からなる略横長の六角形状の当布を設けてあるから、ウエストにピッタリとフィットして締め付け、無理なく括れたウエストラインを作ることができる。
【００２５】
また、ウエストの締め付けはウエストニッパーのように強力でないため、長い時間着用していても着心地がよい。さらに、肌当たりがソフトになると共に、略横長六角形状当布の側辺部と中央部の伸長率が異なり、ウエストの締め付け圧が一様でなく、中央部と両側部とで異なると共に、縦方向においても、それぞれの伸長率が異なる伸縮性ベルト、ウエスト布、パンティ布の順に配されているから、従来のハイウエストガードルのように、上半身の運動で上端部が捲くれたり、ズリ落ちたりすることがなく、防寒用にも適したガードルになる。
【００２６】
さらに、本発明は、前記パンティ布の前身頃正面部にパンティ布より低い伸縮編地の腹部押え布を設け、その両側縁にパンティ布の伸縮編地より伸縮性が高く、かつ薄いソフトの三角形状の編地を設けてあるから、上記の効果に加えて鼠径部から下腹部にわたって圧迫することなく、長時間座っていても痛みなど身体に負担をかけることがない。また、三角形状の編地には縦方向に伸びる横皺が入っているので、装着時に大きく伸縮できる。
【図面の簡単な説明】
【図１】本発明のハイウエストガードルの正面図である。
【図２】本発明のハイウエストガードルの背面図である。
【図３】使用状態を示すハイウエストガードルの正面図である。
【図４】使用状態を示すハイウエストガードルの背面図である。
【図５】使用状態を示すハイウエストガードルの側面図である。
【図６】ウエスト布の伸縮状態を示す説明図である。
【符号の説明】
１    ガードル本体
２    伸縮ベルト
３    ウエスト布
４    パンティ布
５    股布
６    大腿布
７    六角形状の当布
８    腹部押え布
９    三角形編地
９ａ  横皺
【図１】
0003555939.tif 000002
【図２】
0003555939.tif 000003
【図３】
0003555939.tif 000004
【図４】
0003555939.tif 000005
【図５】
0003555939.tif 000006
【図６】
0003555939.tif 000007